【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
コードスキャナによって実行される方法であって、
コンピューティング装置によって表示される非テキスト表現をスキャンする段階であって、前記非テキスト表現は（ｉ）商人サーバーに対応する商人識別コード（ＭＩＣ）及び（ｉｉ）トランザクションの識別子をエンコードし、前記コンピューティング装置は前記トランザクションに関連づけられる情報をさらに表示する、段階と、
アプリケーションサーバーへ前記ＭＩＣを表わすデータを送信する段階と、
前記アプリケーションサーバーから前記商人サーバーを識別するデータを受信する段階と、
前記商人サーバーへ（ｉ）前記識別子及び（ｉｉ）前記トランザクションを許可するメッセージを送信する段階と、
を備える方法。
【請求項２】
前記非テキスト表現はクイック応答（ＱＲ）コードである、請求項１に記載の方法。
【請求項３】
前記非テキスト表現をデコードする段階であって、それによって前記ＭＩＣを回復する、段階を更に含み、前記ＭＩＣを表わすデータを送信する段階は、前記回復されたＭＩＣを送信する段階を含む、請求項１に記載の方法。
【請求項４】
前記非テキスト表現をデコードする段階であって、それによって前記識別子を回復する、段階を更に含み、
前記識別子を送信する段階は、前記回復された識別子を送信する段階を含む、
請求項１に記載の方法。
【請求項５】
前記非テキスト表現は更に暗号キーを暗号化し、
前記方法は更に、
前記非テキスト表現をデコードする段階であって、それによって前記暗号キーを回復する、段階と、
前記識別子及び前記メッセージを前記暗号キーにしたがって暗号化する段階と、
を含み、
前記識別子及び前記メッセージを送信する段階は、前記暗号キーにしたがって暗号化された前記識別子及び前記暗号キーにしたがって暗号化された前記メッセージを送信する段階を含む、請求項１に記載の方法。
【請求項６】
前記非テキスト表現は（ｉ）前記コンピューティング装置及び（ｉｉ）前記コンピューティング装置及び前記商人サーバーの間で確立された通信セッションの１つ以上を識別する、請求項１に記載の方法。
【請求項７】
前記商人サーバーへ（ｉ）前記コンピューティング装置及び（ｉｉ）前記通信セッションの１つ以上を識別するデータを送信する段階を更に含む、請求項６に記載の方法。
【請求項８】
前記トランザクションを許可する前記メッセージは前記トランザクションに関連付けられた購入データを含む、請求項１に記載の方法。
【請求項９】
前記購入データは、運送住所、運送方法、支払金額、使用する支払手段及びパーソナル識別番号（ＰＩＮ）の１つ以上を含む、請求項８に記載の方法。
【請求項１０】
前記コードスキャナによって、前記購入データの指示を表示するためのデータフィールドを表示する段階と、
前記メッセージを送信する段階に先立って、前記コードスキャナによって、前記データフィールドにおける前記購入データの指示を表示する段階と、
を更に含む請求項８に記載の方法。
【請求項１１】
前記コードスキャナによって、前記購入データの１つの特定のデータに対応する前記表示されたデータフィールドの１つのデータフィールドを決定する段階と、
前記コードスキャナによって、前記１つの特定のデータに対応すると決定された前記データフィールド内の１つの特定のデータを表示する段階と、
を更に含む請求項１０に記載の方法。
【請求項１２】
前記商人サーバーへ、前記データフィールドを表わすデータを受信するための要求を送信する段階と、
前記商人サーバーから、前記データフィールドを表わすデータを受信する段階と、
前記商人サーバーから受信されたデータによって表わされるデータフィールドを表示する段階と、
を更に含む請求項１０に記載の方法。
【請求項１３】
前記コードスキャナのデータ記憶装置から前記購入データにアクセスする段階を更に含み、
前記データフィールドにおける前記購入データの指示を表示する段階は、前記データフィールドにおける前記アクセスされた購入データの指示を表示する段階を含む、
請求項１０に記載の方法。
【請求項１４】
前記商人サーバーから、前記トランザクションの完了が成功であったことを示すメッセージを受信する段階を更に含む、請求項１に記載の方法。
【請求項１５】
インストラクションを格納する非一時的コンピュータ読み取り可能なデータ記憶装置であって、前記インストラクションは、コードスキャナによって実行されると当該コードスキャナに複数の機能を実現させ、
前記複数の機能は、
コンピューティング装置によって表示される非テキスト表現をスキャンする機能であって、前記非テキスト表現は（ｉ）商人サーバーに対応する商人識別コード（ＭＩＣ）及び（ｉｉ）トランザクションの識別子をエンコードし、前記コンピューティング装置は前記トランザクションに関連づけられる情報をさらに表示する、機能と、
アプリケーションサーバーへ前記ＭＩＣを表わすデータを送信する機能と、
前記アプリケーションサーバーから前記商人サーバーを識別するデータを受信する機能と、
前記商人サーバーへ（ｉ）前記識別子及び（ｉｉ）前記トランザクションを許可するメッセージを送信する機能と、
を含む、非一時的コンピュータ読み取り可能なデータ記憶装置。
【請求項１６】
前記非テキスト表現はクイック応答（ＱＲ）コードである、請求項１５に記載の非一時的コンピュータ読み取り可能なデータ記憶装置。
【請求項１７】
前記非テキスト表現は更に暗号キーを暗号化し、前記複数の機能は更に、
前記非テキスト表現をデコードする機能であって、それによって前記暗号キーを回復する、機能と、
前記識別子及び前記メッセージを前記暗号キーにしたがって暗号化する機能と、
を含み、
前記識別子及び前記メッセージを送信する機能は、前記暗号キーにしたがって暗号化された前記識別子及び前記暗号キーにしたがって暗号化された前記メッセージを送信する機能を含む、請求項１５に記載の非一時的コンピュータ読み取り可能なデータ記憶装置。
【請求項１８】
前記トランザクションを許可するメッセージは前記トランザクションに関連付けられた購入データを含み、前記複数の機能は更に、
前記購入データの指示を表示するためのデータフィールドを表示する機能と、
善意メッセージの送信に先立って、前記データフィールドにおける前記購入データの指示を表示する機能と、
を含む、請求項１５に記載の非一時的コンピュータ読み取り可能なデータ記憶装置。
【請求項１９】
１以上のプロセッサと、
インストラクションを格納する非一時的コンピュータ読み取り可能なデータ記憶装置と、
を含むコードスキャナであって、
前記インストラクションは、前記コードスキャナによって実行されると当該コードスキャナに複数の機能を実現させ、前記複数の機能は、
コンピューティング装置によって表示される非テキスト表現をスキャンする機能であって、前記非テキスト表現は（ｉ）商人サーバーに対応する商人識別コード（ＭＩＣ）及び（ｉｉ）トランザクションの識別子をエンコードし、前記コンピューティング装置は前記トランザクションに関連づけられる情報をさらに表示する、機能と、
アプリケーションサーバーへ前記ＭＩＣを表わすデータを送信する機能と、
前記アプリケーションサーバーから前記商人サーバーを識別するデータを受信する機能と、
前記商人サーバーへ（ｉ）前記識別子及び（ｉｉ）前記トランザクションを許可するメッセージを送信する機能と、
を含む、コードスキャナ。
【請求項２０】
前記非テキスト表現はクイック応答（ＱＲ）コードである、請求項１９に記載のコードスキャナ。